(57)【要約】【課題】蓄積デバイスを用いたサーバ型コンテンツ提供サービスなどのオンデマンドにコンテンツを提供するサービスにおいては、ユーザが広告をスキップすることにより、広告効果を得ることができない。【解決手段】予め番組情報及び広告情報を蓄積した蓄積器から番組情報及び広告情報を出力方法であって、番組情報の再生を一時停止した場合に、一時停止された時点における番組情報の内容に関連する広告情報を表示する。【選択図】図２
2006067280.tif 000002
【特許請求の範囲】
【請求項１】
予め番組情報及び広告情報を蓄積した蓄積器から前記番組情報及び広告情報を出力する出力方法であって、前記番組情報を前記蓄積器から出力する第１の出力工程と、前記第１の出力工程で出力する番組情報の出力を一時停止する第１の停止工程と、前記第１の停止工程後に前記広告情報を前記蓄積器から出力する第２の出力工程とを備え、前記第２の出力工程で出力する広告情報は、前記第１の停止工程で停止した時点の番組情報に関連する情報であることを特徴とする出力方法。
【請求項２】
予め番組情報と広告情報とキーワードを蓄積した蓄積器から前記番組情報及び広告情報を出力する出力方法であって、前記番組情報を前記蓄積器から出力する第１の出力工程と、前記第１の出力工程で出力する番組情報の出力を一時停止する第１の停止工程と、前記第１の停止工程後に前記広告情報を前記蓄積器から出力する第２の出力工程とを備え、前記第２の出力工程で出力する広告情報は、前記第１の停止工程で停止した時点の番組情報と前記キーワードに関連する情報であることを特徴とする出力方法。
【請求項３】
前記出力方法は、さらに前記第２の出力工程後に前記広告情報の出力を停止する第２の停止工程と、前記第２の停止工程後に前記第１の停止工程で停止した時点以降の番組情報を出力する第３の出力工程を備えたことを特徴とする請求項１または請求項２に記載の出力方法。
【請求項４】
前記広告情報は、放送波又は通信網を介して前記蓄積器に蓄積されることを特徴とする請求項１または請求項２のいずれかに記載の出力方法。
【請求項５】
前記蓄積器から前記広告情報にアクセスするための広告アクセス情報を取得する第１の取得工程と、前記第１の取得工程により取得された広告アクセス情報を用いて前記広告情報を取得する第２の取得工程とを備えたことを特徴とする請求項１から請求項４のいずれかに記載の出力方法。
【請求項６】
前記広告アクセス情報は、前記広告情報が記憶されている媒体を示すリンク先媒体情報又は前記広告情報が記憶されている通信網におけるアドレスを示すＵＲＬ情報又は前記ＵＲＬ情報に内蔵する前記蓄積器のアドレスを含むことを特徴とする請求項５記載の出力方法。
【請求項７】
前記広告アクセス情報は、前記広告情報の有効期限を示す有効期限情報を含み、前記有効期限情報の有効期限以内に前記蓄積器から前記広告情報を取得する取得工程を備えたことを特徴とする請求項５又は請求項６記載の出力方法。
【請求項８】
前記広告アクセス情報は、前記広告情報の圧縮フォーマットを示すフォーマット情報を含み、前記フォーマット情報に基づいてデコード処理を行うことを特徴とする請求項５から請求項７のいずれかに記載の出力方法。
【請求項９】
前記広告アクセス情報は、前記広告情報のキーワードとなるキーワード情報を含み、前記記憶工程により記憶されたキーワードと前記キーワード情報とが一致する広告情報を出力することを特徴とする請求項５から請求項８のいずれかに記載の出力方法。
【請求項１０】
前記広告情報は、前記番組情報の所定時間ごとに少なくとも第１の広告情報と第２の広告情報とを備え、前記第１及び第２の広告情報は所定の順序により出力されることを特徴とする請求項１から請求項９のいずれかに記載の出力方法。
【請求項１１】
予め番組情報及び広告情報を蓄積した蓄積器から前記番組情報及び広告情報を出力する出力装置であって、前記蓄積器から前記番組情報を出力する番組情報出力手段と、前記蓄積器から前記広告情報を出力する広告情報出力手段と、前記番組情報出力手段で出力する番組情報の出力を一時停止する第１の停止手段と、前記第１の停止手段による前記番組情報の一時停止後に前記広告情報出力手段から前記広告情報を出力する制御手段とを備え、前記制御手段により出力する前記広告情報は、前記停止手段で停止した時点の番組情報に関連する情報であることを特徴とする出力装置。
【請求項１２】
前記出力装置は、さらに、前記広告情報出力手段からの広告情報の出力後に前記広告情報の出力を停止する第２の停止手段と、前記第２の停止手段による前記広告情報の停止後に前記第１の停止手段で停止した時点以降の番組情報を出力する番組情報出力手段とを備えたことを特徴とする請求項１１記載の出力装置。
【請求項１３】
前記出力装置は、さらにキーワードを記憶するキーワード記憶手段を備え、前記制御手段の制御により出力される前記広告情報は、前記キーワード記憶手段に記憶されたキーワードと前記停止手段により停止した時点における番組情報に関連する情報であることを特徴とする請求項１１又は請求項１２のいずれかに記載の出力装置。
【請求項１４】
前記広告情報は、放送波又は通信路を介して前記蓄積器に蓄積されることを特徴とする請求項１１から請求項１３のいずれかに記載の出力装置。
【請求項１５】
前記出力装置は、さらに、前記広告情報にアクセスするための広告アクセス情報を取得する取得手段を備え、前記取得手段により取得された広告アクセス情報と前記コンテンツ番号と前記広告番号とにより前記広告情報を取得することを特徴とする請求項１１から請求項１４のいずれかに記載の出力装置。
【請求項１６】
前記広告アクセス情報は、前記広告情報が記憶されている媒体を示すリンク先媒体情報又は前記広告情報が記憶されている通信網におけるアドレスを示すＵＲＬ情報又は前記ＵＲＬ情報に内蔵する前記蓄積器のアドレスであることを特徴とする請求項１５記載の出力装置。
【発明の詳細な説明】
【技術分野】
【０００１】
本発明は、テレビジョン受信機、セットトップボックス、パーソナルコンピュータ、携帯電話機など、テレビジョン放送や通信などで伝送される広告を受信し表示する装置およびそれらの装置に広告を提供するシステムに関するものである。装置はテレビジョン受信機が典型的な例である。
【背景技術】
【０００２】
現状のテレビジョン放送におけるテレビジョン信号から広告を求め表示する、また通信回線を介して通信可能に接続された情報サーバから広告を受信し表示することにより、広告をユーザに知らしめることは既に行われている。それらの形態において、広告は、テレビジョン信号や情報サーバから提供されるコンテンツと時間的あるいは表示領域的に多重されて提供される場合が多く、広告を表示するタイミングは、コンテンツの視聴開始から視聴終了迄の予め決められたタイミングである場合が一般的である。
【０００３】
このような広告表示の形態は、リアルタイムにコンテンツを提供するサービスにとっては有効であるが、近い将来に開始される見通しである、サーバ型コンテンツ提供サービスなどの蓄積デバイスを用いたオンデマンドにコンテンツを提供するサービスにおいては、再生する際、ユーザが広告をスキップすることが考えられ、広告を知らしめることができない問題が想定できる。
【０００４】
これは、広告主からの広告料により、大部分のテレビジョン放送事業が成り立っている現状のビジネスモデルを脅かす問題である。一方、ユーザがコンテンツを視聴する操作を行った後、コンテンツを視聴できるまでの空き時間に広告を表示することの実現形態は、例えば（特許文献１）に提案されており、オンデマンドにコンテンツを提供するサービスに応用することは考えられる。
【０００５】
また、表示されているコンテンツが停止した際に、広告を表示することを実現する表示装置は知られている（例えば、特許文献２参照）。
【特許文献１】特開平９−３２５９３８号公報
【特許文献２】特表２００３−５３００３３号公報
【発明の開示】
【発明が解決しようとする課題】
【０００６】
しかしながら（特許文献１）のような広告受信機では、ユーザがコンテンツを視聴する操作を行った後、コンテンツを視聴できるまでの空き時間に広告を表示する。従って、広告を表示終了するタイミングは、空き時間により決定されるため、本来広告主が広告の表示を終了させたいタイミングと一致せず広告を最後まで表示することができない問題や、表示できる広告数に制限が生じる問題が生じていた。
【０００７】
また、空き時間は、ＣＰＵの処理速度が向上すると減少する。従って、将来、ＣＰＵの処理速度が向上し続けると、空き時間はより短くなり広告を表示するための時間が取れなくなる問題が生じていた。
【０００８】
また、（特許文献１）のような広告受信機では、ユーザがコンテンツを視聴する以前に広告を表示する。従って、コンテンツの視聴後に興味を覚えるような、コンテンツの内容に関連する広告を、効果的に提供できない。従って、ユーザが広告の表示をスキップさせることにより、広告を知らしめることができない問題は依然生じていた。
【０００９】
（特許文献２）に記載されている広告受信機では、コンテンツの停止位置に応じて広告を差し替えることができない。すなわち、同じコンテンツを視聴中のユーザには、コンテンツを停止した位置や回数に関わらず同じ広告が提示される。従って、停止以前に再生されたコンテンツに関連する広告の提示はできない。また、コンテンツの視聴後に興味を覚えるような、コンテンツの内容に関連する広告を、効果的に提供できない。さらに、ユーザが広告の表示をスキップさせることにより、広告を知らしめることができない問題は依然生じていた。
【００１０】
また、コンテンツと広告を関連付ける方法について記載されておらず、コンテンツに応じて広告のリンク先や種類を可変することが実現できない。
【課題を解決するための手段】
【００１１】
本願発明は、予め番組情報及び広告情報を蓄積した蓄積器から番組情報及び広告情報を出力するであって、番組情報を蓄積器から出力する第１の出力工程と、第１の出力工程で出力する番組情報の出力を一時停止する第１の停止工程と、第１の停止工程後に広告情報を蓄積器から出力する第２の出力工程とを備え、第２の出力工程で出力する広告情報は、第１の停止工程で停止した時点の番組情報に関連する情報であることを特徴とする出力方法である。本願発明は、この構成により、ユーザに対して効果的に広告情報を提供することが可能になるものである。
【００１２】
また、本願発明は、さらに、キーワードを記憶する記憶工程を備え、広告情報は、キーワード及び停止工程により停止された時点における番組情報の内容に関連する情報であることを特徴とする出力方法である。本願発明は、この構成により、ユーザーにより入力されたキーワードに基づいた広告情報を提供することが可能になるため、より効果的に広告情報を提供することが可能になる。
【００１３】
また、本願発明は、さらに、広告情報にアクセスするための広告アクセス情報を取得する第１の取得工程と、第１の取得工程により取得された広告アクセス情報を用いて広告情報を取得する第２の取得工程とを備え、広告アクセス情報として、広告情報の有効期限含むことを特徴とする出力方法である。本願発明は、この構成により、適切な時期に広告情報を取得することが可能となる。
【００１４】
また、本願発明は、さらに、広告情報にアクセスするための広告アクセス情報を取得する第１の取得工程と、第１の取得工程により取得された広告アクセス情報を用いて広告情報を取得する第２の取得工程とを備え、広告アクセス情報として、広告情報の圧縮フォーマットに関する情報を含むことを特徴とする出力方法である。本願発明は、この構成により、適切なフォーマットで広告情報をデコードすることが可能になる。
【００１５】
また、本願発明は、さらに、広告情報にアクセスするための広告アクセス情報を取得する第１の取得工程と、第１の取得工程により取得された広告アクセス情報を用いて広告情報を取得する第２の取得工程とを備え、広告アクセス情報として、広告情報のキーワードを含むことを特徴とする出力方法である。本願発明は、この構成により、ユーザーが必要とする広告情報を出力することが可能になる。
【発明の効果】
【００１６】
本願発明により、放送されるコンテンツの内容に応じた広告を提供することが可能になるため、ユーザに対して効果的に広告を提供することが可能になる。
【発明を実施するための最良の形態】
【００１７】
以下では、当該発明にかかる実施するための最良の形態について、図面を参照しつつ説明を行う。
【００１８】
（実施の形態１）
以下本発明の第１の実施例を、図面を参照しながら説明する。なお、広告のことをＣＭと略して説明する。図１は、本発明の第１の実施例に係る広告受信システムの構成を示す図である。図１に示す広告受信システムは、番組提供装置１、放送局装置２、テレビジョン受信機３、広告情報蓄積器５（以下、ＣＭ情報サーバ５とする）、複数の情報サーバ６、および通信網４を備える。このうち、テレビジョン受信機３とＣＭ情報サーバ５と情報サーバ６とは、通信網４を介して相互に通信可能に接続されている。また、番組提供装置１と放送局装置２、番組提供装置１とＣＭ情報サーバ５とは、専用線で常時接続されている。なお、図１には１台のテレビジョン受信機３のみが示されているが、図１に示すシステムには、実際には多数のテレビジョン受信機３が含まれる。
【００１９】
情報サーバ６は、テレビジョン番組に関連する情報（以下、番組関連情報という）を蓄積するサーバである。番組関連情報とは、例えば、あるレストランで提供される料理を紹介するテレビジョン番組があった場合に、料理の作り方に関する情報、レストランに関する情報、料理が提供されるときに使用される食器に関する情報などをいう。上述したように、テレビジョン受信機３は、通信網４を介して情報サーバ６と通信可能に接続されている。そこで、テレビジョン受信機３は、通信網４を介して情報サーバ６にアクセスし、情報サーバ６から番組関連情報を取得する。テレビジョン受信機３は、情報サーバ６から取得した番組関連情報をテレビジョン映像に重畳して、あるいは、テレビジョン映像と共にテレビジョン画面に表示する。
【００２０】
ＣＭ情報サーバ５は、テレビジョン番組を提供する事業者（以下、番組提供事業者という）によって管理されるサーバである。番組提供事業者は、広告であるＣＭ情報をＣＭ情報サーバ５に蓄積する。広告情報（以下、ＣＭ情報とする。）とは、例えば、ある商品の宣伝情報、あるテレビジョン番組や映画などの紹介情報などのコンテンツをいう。番組提供事業者は作成したＣＭ情報をテレビジョン受信機３で利用できる形式のＣＭ情報に変換し、得られたＣＭ情報を、専用線を介して接続されたＣＭ情報サーバ５に送信する。上述したように、テレビジョン受信機３は、通信網４を介してＣＭ情報サーバ５と通信可能に接続されている。そこで、テレビジョン受信機３は、通信網４を介してＣＭ情報サーバ５にアクセスし、ＣＭ情報サーバ５からＣＭ情報を取得する。テレビジョン受信機３は、ＣＭ情報サーバ５から取得したＣＭ情報をテレビジョン映像に重畳して、あるいは、テレビジョン映像と共にテレビジョン画面に表示する。また、ＣＭ情報サーバ５は、テレビジョン受信機３からＣＭ情報を表示した履歴情報を収集し、番組提供事業者に提供する。
【００２１】
放送局装置２は、テレビジョン放送事業者によって管理される装置である。放送局装置２は、テレビジョン受信機３にテレビジョン信号を送信する。また、番組提供事業者は作成したＣＭ情報にアクセスし表示するための情報（以下、ＣＭ参照情報という）をテレビジョン受信機３で利用できる形式のＣＭ参照情報に変換し、得られたＣＭ参照情報を、専用線を介して接続された放送局装置２に送信する。放送局装置２は、番組のコンテンツ（以下、番組情報という）と番組情報を選局し識別するための情報とを、図示しない専用線を介して受信し、テレビジョン受信機３で利用できる形式の番組情報と番組情報を選局し識別するための情報とに変換する。放送局装置２は、テレビジョン受信機３に対し、テレビジョン信号にＣＭ参照情報と番組情報と番組情報を選局し識別するための情報とを含んで送信する。ここでいう番組情報を選局し識別するための情報とは、ＭＰＥＧ−２トランスポートストリームにおけるＰｒｏｇｒａｍ  Ｓｐｅｓｉｆｉｃ  Ｉｎｆｏｒｍａｔｉｏｎが考えられる。
【００２２】
テレビジョン受信機３は、テレビジョン信号の受信機能と記録機能を有する。すなわち、テレビジョン受信機３は、放送局装置２から送信されたテレビジョン信号を受信し、受信したテレビジョン信号に基づき番組情報からテレビジョン映像を求め、求めたテレビジョン映像をテレビジョン画面に表示する。テレビジョン放送事業者が行うテレビジョン放送は、典型的にはデジタル方式のテレビジョン放送であるが、アナログ方式のテレビジョン放送であってもよい。
【００２３】
テレビジョン受信機３は、通常動作時は、テレビジョン信号に基づくテレビジョン映像をテレビジョン画面に表示する。あるいは、内蔵するハードディスクやＤＶＤのような記録デバイスに番組情報を記録する。記録された番組情報は再生時には、再生した番組情報からテレビジョン映像を求め、求めたテレビジョン映像をテレビジョン画面に表示する。
【００２４】
また、テレビジョン受信機３は、テレビジョン信号に含まれるＣＭ参照情報に基づき、利用できる形式のＣＭ参照情報を作成し、ユーザの再生を停止する操作に応じて、ＣＭ情報にアクセスし、ＣＭ情報の画面を、テレビジョン映像に重畳して、あるいはテレビジョン映像と共にテレビジョン画面に表示する。
【００２５】
なお、以上の説明では、テレビジョン受信機３は、ＣＭ情報サーバ５からＣＭ情報を取得することとしたが、これに代えて、ＣＭ情報を、テレビジョン信号を介して取得してもよい。例えば、放送局装置２は、テレビジョン受信機３に対し、テレビジョン信号にＣＭ参照情報と番組情報とＣＭ情報を含んで送信しても良い。また、テレビジョン受信機３は、テレビジョン信号から番組情報およびＣＭ参照情報を取得することとしたが、これに代えて、ＣＭ情報サーバ５から通信網を介して取得してもよい。例えば、ＣＭ情報サーバ５は、テレビジョン受信機３に対し、ＣＭ参照情報と番組情報とＣＭ情報を含んで送信しても良い。その場合、テレビジョン受信機３には記録機能は必要なく、ＣＭ情報サーバ５内に番組情報が記憶されていることが考えられる。テレビジョン受信機３は、ＣＭ情報サーバ５内の番組情報の再生または停止について、通信網４を介して再生または停止の制御を行う。
【００２６】
図２は、本発明のテレビジョン受信機３の構成を示すブロック図である。特にテレビジョン受信機３が番組を蓄積デバイスに蓄積し、ユーザが所望の時間に番組を選択し視聴する場合の実施例である。この概念は、近年、サーバ型放送として規格化が進んでいるので、今後そのようなテレビジョン受信機が商品化されるものと思われる。また、蓄積デバイスはテレビジョン受信機の外部に存在し、ネットワークで接続して再生する場合も当然考えられる。テレビジョン受信機３は、チューナ１０１、分離部１０２、デコーダ１０３、ＯＳＤ（Ｏｎ  Ｓｃｒｅｅｎ  Ｄｉｓｐｌａｙ  ）処理部１０４、合成部１０５、表示部１０６、制御部１１１、通信部１１２、入力部１１３、履歴記憶部１１４、ＣＭアクセス情報記憶部１１５、番組／ＣＭ番号記憶部１１６、蓄積デバイス１１７、ＣＭ参照情報書式記憶部１１８、ＣＭ表示順序記憶部１１９、表示ＣＭ番号記憶部１２０、停止位置検出部１３１、キーワード記憶部１３２を備える。
【００２７】
チューナ１０１は、放送局装置２から送信されたテレビジョン信号から、ユーザによって選択された周波数帯の信号を抽出し、トランスポートストリームとして出力する。分離部１０２は、チューナ１０１から出力されたトランスポートストリームを、番組情報を構成するデジタル映像信号とデジタル音声信号、そして制御信号とに分離する。分離部１０２で分離された制御信号には、放送局装置２から送信されたＣＭ情報およびＣＭ参照情報が含まれる。なお、ＣＭ情報は、放送局装置２から必ずしも送信されるとは限らないことは、前述した通りであり、ＣＭ参照情報のみが分離される場合もある。デコーダ１０３は、分離部１０２から出力された、符号化されたデジタル映像信号およびデジタル音声信号に基づき、アナログ映像信号およびアナログ音声信号を求める。ＯＳＤ処理部１０４は、制御部１１１から出力されたＯＳＤ制御信号に基づき、ＯＳＤ表示信号を出力する。合成部１０５は、デコーダ１０３から出力されたアナログ映像信号に対して、ＯＳＤ処理部１０４から出力されたＯＳＤ表示信号を合成する。表示部１０６は、合成部１０５から出力されたアナログ映像信号を画面に表示する。なお、デコーダ１０３から出力されたアナログ音声信号は、音声出力部（図示せず）から出力される。蓄積デバイス１１７には、分離部１０２で分離された番組情報を構成するデジタル映像信号とデジタル音声信号、そして制御信号とが蓄積される。再生時には、再生した番組情報からデコーダ１０３を用いてテレビジョン映像を求め、求めたテレビジョン映像をテレビジョン画面に表示する。
【００２８】
制御部１１１は、テレビジョン受信機３に関する各種の制御を行う。通信部１１２は、制御部１１１からの制御に従い、通信網４に接続されたＣＭ情報サーバ５および情報サーバ６との間でデータを送受信する。入力部１１３は、ユーザからのコマンドを入力するための入力部である。入力部１１３は、図示しないリモコンからユーザから入力されたコマンドに応じて、コマンド入力信号を制御部１１１に出力する。例えば、蓄積デバイス１１７に蓄積されている番組情報の再生または停止、ＯＳＤ処理部１０４が出力する操作パネルの操作などのコマンドを入力する。
【００２９】
ＣＭ参照情報は、ＣＭ参照情報の書式、ＣＭ番号、ＣＭ  ＵＲＩ、有効期限、ＣＭ表示順序、キーワード、番組番号とＣＭ番号の関連付けなどの情報が含まれる。制御部１１１は、ＣＭ参照情報の送信書式を先ず認識する事により、ＣＭ参照情報の構成を把握し、その構成に則りＣＭ参照情報を再構築し解釈して利用する。分離部１０２におけるＣＭ参照情報の識別は、送信側と予め識別子を設定し、送信側はその識別子を付加して送信することにより受信機側で識別可能である。このような情報の識別方法は、ＭＰＥＧ−２  ＴＳでも一般的に使用されているので詳細な説明は省略する。
【００３０】
広告アクセス情報記憶部１１５（以下、ＣＭアクセス情報記憶部１１５とする。）は、ＣＭ参照情報の一部を記憶する。テレビジョン信号に含まれるＣＭ参照情報に基づき、ＣＭ番号、ＣＭ  ＵＲＩ、キーワード、有効期限は、ＣＭアクセス情報記憶部１１５に制御部１１１の制御により記憶される。ＣＭ情報表示履歴、送信書式は、履歴記憶部１１４に制御部１１１の制御により記憶される。
【００３１】
番組／ＣＭ番号記憶部１１６は、制御部１１１の制御により、ＣＭ参照情報に基づき求められた、番組番号とＣＭ番号の関連付けを記憶する。蓄積デバイス１１７は、分離部１０２が分離した、番組情報とＣＭ情報とを、制御部１１１の制御により、後に再生できる形式で記憶する。ＣＭ参照情報書式記憶部１１８は、ＣＭ参照情報の書式が記憶される。ＣＭ参照情報の書式は、制御部１１１の制御により、放送局装置２から送信されたテレビジョン信号に基づいて求められ記憶されても良く、テレビジョン受信機３の出荷時に予め記憶されていても良い。ＣＭ表示順序記憶部１１９は、制御部１１１の制御により、ＣＭ参照情報に基づき求められた、ＣＭ情報を表示する順序、停止位置を指定する情報が番組番号に関連付けられて記憶される。表示ＣＭ番号記憶部１２０は、制御部１１１の制御により求められた、次に表示される候補であるＣＭ情報のＣＭ番号が記憶される。
【００３２】
停止位置検出部１３１は、再生した番組情報をユーザがリモコンを用いて停止指示した時の停止位置を検出して記憶する。停止位置は、時間により管理される事が考えられ、その場合番組情報の開始点からの経過時間を検出する。制御部１１１はタイマーを内蔵しており、経過時間を測定する事ができる。あるいは、予め放送局装置２は制御信号に時間情報や停止位置を検出する為の情報を加えて送信することも考えられる、その場合、制御部１１１は、再生停止時の制御信号を解析することにより停止位置を検出することができる。
【００３３】
キーワード記憶部１３２は、ユーザが登録するキーワードを記憶する。ここで言うキーワードはユーザが嗜好する物や食べ物やジャンルや出演者名などの嗜好情報である。ユーザはリモコンを用いて予め登録することができる。このように、ユーザが予めリモコン等によりキーワードを入力することにより、よりユーザーの趣向に即した広告を提供することが可能になる。
【００３４】
テレビジョン受信機３において、テレビジョン画面にテレビジョン映像以外の画面を表示するときには、制御部１１１が、テレビジョン映像以外の画面を生成するためのＯＳＤ制御信号を生成し、生成したＯＳＤ制御信号をＯＳＤ処理部１０４に出力する。これにより、ＣＭ情報の画面や、操作パネル画面などが、テレビジョン映像に重畳して、あるいはテレビジョン画面と共にテレビジョン画面に表示される。
【００３５】
なお、以上の説明では、テレビジョン受信機３は、履歴記憶部１１４およびＣＭアクセス情報記憶部１１５および番組／ＣＭ番号記憶部１１６、蓄積デバイス１１７、ＣＭ参照情報書式記憶部１１８、ＣＭ表示順序記憶部１１９、表示ＣＭ番号記憶部１２０、キーワード記憶部１３２を別々に備えることとしたが、それらを１つあるいは複数の記憶部として構成してもよいことは言うまでもない。また、蓄積デバイス１１７内に構成しても良い。また、番組／ＣＭ番号記憶部１１６とＣＭ表示順序記憶部１１９を共通の記憶部として構成し、番組番号とＣＭ番号とＣＭ表示順序の関連付けをまとめて行っても良い。
【００３６】
図３は、番組／ＣＭ番号記憶部１１６およびＣＭアクセス情報記憶部１１５に記憶されるデータ、そしてＣＭ表示順序記憶部１１９、表示ＣＭ番号記憶部１２０に記憶されるデータの関連付けを示す図である。これらの関連付けとデータを示したテーブルは、番組提供事業者から放送局装置２または通信網４を介してテレビジョン受信機３に送信される。テレビジョン受信機３は、これらのテーブルを受信し、関連付けを認識し、利用可能な形式のデータに変換し、該当する記憶部に記憶する。番組／ＣＭ番号記憶部１１６には、制御部１１１の制御により、番組番号と関連付けてＣＭ番号が記憶される。図３における１２１がテーブルで受信する個々の番組番号におけるＣＭ番号との関連付けを示しており、番組／ＣＭ番号記憶部１１６には、制御部１１１の管理の元、全ての番組の番組番号とＣＭ番号の関連付けが記憶される。図３においては、番組番号に２つのＣＭ番号が関連付けられている例であるが、関連付けられるＣＭ番号数は、特に限定があるものでない。ここで言うＣＭ番号とは、特定の番組情報において、関わるＣＭ情報を識別するための情報である。なお、ここで言う番組番号とは、ＭＰＥＧ−２  ＴＳにおけるＰＡＴテーブルに記述される番組番号であることが考えられ一般的である。
【００３７】
図３における１２３、１２４は、ＣＭ番号が示すＣＭ情報におけるＣＭアクセス情報であり、テーブルで受信され、ＣＭアクセス情報記憶部１１５には、制御部１１１の管理の元全てのＣＭ情報のＣＭアクセス情報が記憶される。ここで言うＣＭアクセス情報とは、特定のＣＭ番号においてＣＭ情報にアクセスする為の情報である。なお、図３における１２２は番組情報を示している。
【００３８】
図３におけるＣＭアクセス情報１２３は、ＣＭ番号１により指定され、ＣＭ情報がＭＰＥＧ−２ＴＳ準拠であり、蓄積デバイス１１７に記憶されている場合のＣＭアクセス情報の例である。以下の情報から構成される。ＣＭ番号は１を示すデータ、種別はリンクを示すデータである００１。リンク先ＵＲＩは、種別がリンクであるために有効となり、ＣＭ情報の識別と所在を示すＵＲＬである０１：／／ａｂｃ．ｘｘ．ｍｐｇ。フォーマットはＭＰＥＧ−２  ＴＳを示すデータ、ＣＭ情報を選択する場合の条件となるキーワードは、特定のキーワードを示すデータであるＡ、カテゴリーは特定の事業者コードを示すデータであるＡ。有効期限は２００３年１２月１２日１２時を示すデータである２００３１２１２１２。リンク先媒体は、種別がリンクであるために有効となり、ＣＭ情報の受信経路が放送（テレビジョン信号）から受信して記憶された蓄積デバイス経由を示すデータである０１。記録元ＵＲＩは対応付けられるべき特定の番組を識別するための番組識別ＩＤを示す０２。なお、番組識別ＩＤは、デジタル放送で一般的なネットワークＩＤとＴＳ＿ＩＤとサービス番号とを用いることが考えられる。
【００３９】
ＣＭアクセス情報１２４は、ＣＭ番号２により指定され、ＨＴＭＬ準拠であり、ＣＭ情報サーバ５に記憶されている場合のＣＭアクセス情報の例である。以下の情報から構成される。タイトルは評論を示すデータである０１。種別はリンクを示すデータである００１。リンク先ＵＲＩは、種別がリンクであるために有効となり、ＣＭ情報の識別と所在を示すＵＲＬであるｈｔｔｐ：／／１１１．ｘｙｚ．ｈｔｍｌ。フォーマットはＨＴＭＬを示すデータ、ＣＭ情報を選択する場合の条件となるキーワードは、指定が無いため削除、カテゴリーは特定の事業者コードを示すデータであるＢ。有効期限は２００３年１０月１０日００時を示すデータである２００３１０１０００。リンク先媒体は、種別がリンクであるために有効となり、ＣＭ情報の受信経路がネットワーク（通信網）を示すデータである００。記録元ＵＲＩは対応付けられるべき特定の番組を識別するための番組識別ＩＤを示す０４。
【００４０】
なお、１２３または１２４における、リンク先ＵＲＩとは、前述したＣＭＵＲＩのことであり、ＣＭ情報（映像や音声や付加データなど）を識別する為の情報である。ＣＭ情報の識別データおよび所在を示すデータから構成される。所在はテレビジョン信号、テレビジョン受信機３内の蓄積デバイス１１７内、通信網を介して接続可能なＣＭ情報サーバ５、情報サーバ６内のどこでも良い。リンク先ＵＲＩはそれぞれの場合において適切に所在を示すことができる。記録されたＣＭ情報を表示する場合のように、テレビジョン受信機３内の所在を示す場合は、リンク先ＵＲＩは、制御部１１１の制御により、番組を録画した所在（アドレス）を基に作成され書き込まれる。放送波からＣＭ情報を表示する場合は、リンク先ＵＲＩは、制御部１１１の制御により、制御情報から求める事ができる日時やネットワーク番号、チャンネル番号が書き込まれる。通信網上の情報サーバに蓄積されているＣＭ情報を表示する場合は、リンク先ＵＲＩはＵＲＬ（Ｕｎｉｆｏｒｍ  Ｒｅｓｏｕｒｃｅ  Ｌｏｃａｔｏｒ）が書き込まれる。なお、ＵＲＩとは、様々な媒体やメディアにおける情報資源を指し示す記述方式であり、ＵＲＬとは、ＵＲＩの一部をインターネット用に具体化したものであることは周知である。
【００４１】
ＣＭ表示順序記憶部１１９には、図３の１２５に示すように、番組情報に関連付けて、ＣＭ情報を表示する順序と停止位置指示の情報がテーブルで受信され制御部１１１の制御により記憶される。表示する順序はＣＭ番号により管理されており、記憶されているアドレス順により、先ずＣＭ番号１が表示され、続いてＣＭ番号２が表示される事を示している。また、ＣＭ表示順序記憶部１１９には、テーブルでＣＭ番号に関連付けられて受信される停止位置指示の情報も、ＣＭ番号に対応して制御部１１１の制御により記憶される。ここで言う停止位置指示の情報とは、再生した番組情報をユーザがリモコンを用いて停止指示した時ＣＭ情報を表示する際に、停止するタイミングにより表示するＣＭ情報を選択するための情報である。ＣＭ情報を表示するべき停止位置を指示している。言い換えれば、停止位置指示情報で示される位置に停止された場合にそのＣＭ情報を表示する。ＣＭ表示順序記憶部１１９には、制御部１１１の管理の元、全ての番組の番組番号に関連付けてＣＭ番号の表示順序と停止位置指示が記憶される。表示ＣＭ番号記憶部１２０には、図３の１２６に示すように、次に表示する候補のＣＭ情報が制御部１１１の制御により記憶される。１２６には、制御部１１１が次に表示するよう制御するのは、ＣＭ番号１あるいはＣＭ番号２で指定されるＣＭ情報であることを示している。表示ＣＭ番号記憶部１２０に記憶されるＣＭ番号は、制御部１１１の制御により、ＣＭ表示順序記憶部１１９に記憶されるＣＭ番号の何れかと対応付けられており、ＣＭ情報を表示する度、ＣＭ表示順序記憶部１１９に記憶されている順序、停止位置指示に従って更新される。なお、ＣＭ番号記憶部１２０に記憶されるＣＭ情報は単一でなく複数であっても良い。
【００４２】
図４は、本発明のテレビジョン受信機３によるＣＭ番号とＣＭアクセス情報を利用できる形式に作成し記憶する処理を示すフローチャートである。テレビジョン受信機３の制御部１１１は、チューナ１０１がテレビジョン放送の受信を開始したときに、以下の処理を実行する。
【００４３】
分離部１０２がチューナ１０１からトランスポートストリームを入力すると（ステップＳ２０１）、制御部１１１は、分離部１０２を用いて、受信するトランスポートストリームの中から、番組のコンテンツの番組情報のデータとＣＭ参照情報のデータとを分離する。
【００４４】
番組情報は、蓄積デバイス１１７に蓄積する（ステップＳ２０２）。制御部１１１は、ステップＳ２０２で蓄積デバイス１１７に蓄積したアドレスを認識する。制御部１１１は、分離部１０２が分離したＣＭ参照情報に、番組番号と関連付けられたＣＭ番号を検出した場合は（ステップＳ２０３）、ＣＭ番号を番組番号と関連付けて番組／ＣＭ番号記憶部１１６に記憶するとともに、ＣＭ表示順序と停止位置指示を番組番号と関連付けてＣＭ表示順序記憶部１１９に記憶する（ステップＳ２０４）。
【００４５】
また、分離部１０２を用いて、ＣＭアクセス情報を検出した場合は（ステップＳ２０５）、制御部１１１は、ＣＭアクセス情報を利用できる形式に変換し、ステップＳ２０４で記憶したＣＭ番号と関連付けて、ＣＭアクセス情報記憶部１１５に記憶する（ステップＳ２０６）。制御部１１１は、ステップＳ２０６でＣＭアクセス情報記憶部１１５に記憶したアドレスを認識する。
【００４６】
また、分離部１０２を用いて、ＣＭ情報を検出した場合は、ＣＭ情報も蓄積デバイス１１７に蓄積する。制御部１１１は、蓄積デバイス１１７に蓄積したアドレスを認識している。そこで、制御部１１１は、ＣＭ情報を蓄積したアドレスより、リンク先ＵＲＩを求め、ＣＭ番号により対応付けられるＣＭアクセスに記憶する（ステップＳ２０８）。
【００４７】
本実施例では、番組情報の受信、ＣＭアクセス情報の受信という順番で説明したが、順番は本来テレビジョン信号により決まるものであり、特に限定するものではない。
【００４８】
図５は、本発明のテレビジョン受信機３によるＣＭ情報にアクセスし、表示する処理を示すフローチャートである。テレビジョン受信機３の制御部１１１は、ユーザがリモコンなどを用いて、蓄積されている番組情報の再生を指示したときに、以下の処理を実行する。
【００４９】
制御部１１１は、入力部１１３を介して番組情報の再生指示を認識すると（ステップＳ２１１）、制御部１１１は、番組情報を読み出し、デコーダ１０３を用いて番組情報を表示する（ステップＳ２１２）。その後、ユーザがリモコンなどを用いて、蓄積されている番組情報の再生の停止を指示したときに、制御部１１１は、入力部１１３を介して番組情報の再生の停止指示を認識すると（ステップＳ２１３）、制御部１１１は、番組情報の読み出しを中断し、デコーダ１０３を用いた番組情報の表示を停止する（ステップＳ２１４）。制御部１１１は、中断時のアドレスを認識して図示しないメモリに記憶する。更に制御部１１１はＣＭ情報にアクセスしＣＭ情報を取得し、ＣＭ情報をＯＳＤ処理部１０４またはデコーダ１０３を用いて表示する（ステップＳ２１５）。ステップＳ２１５については、図６を用いて詳細を後述する。
【００５０】
その後、ユーザがリモコンなどを用いて、蓄積されている番組情報の再生を指示したときに、制御部１１１は、入力部１１３を介して番組情報の再生指示を認識すると（ステップＳ２１６）、制御部１１１は、ＣＭ情報の表示を停止する（ステップＳ２１７）。更に制御部１１１は、番組情報を、ステップＳ２１４で中断した位置から再開し、番組情報が終了するまで再生を続けるよう制御する。再度ユーザがリモコンなどを用いて、蓄積されている番組情報の再生の停止を指示したときにはステップＳ２１４へと進み、次のＣＭ情報の表示を行う。（ステップＳ２１８、ステップＳ２１２、ステップＳ２１３）。
【００５１】
図６は、本発明のテレビジョン受信機３によるＣＭ情報の表示処理を示すフローチャートである。図５におけるステップＳ２１５の処理の詳細を示したものである。
【００５２】
図５におけるステップＳ２１４の後、制御部１１１は、ステップＳ２１２で再生している番組情報に関連付けられているＣＭ情報の有無を確認する（ステップＳ２２１）。番組番号を元に番組／ＣＭ番号記憶部１１６に関連付けられているＣＭ番号の有無を確認する事で可能である。関連付けられているＣＭ情報が確認できれば、制御部１１１は、停止位置検出部１３１を用いて停止となった位置を認識する。コンテンツの開始位置からの経過時間を検出する事で可能である。また制御部１１１は、キーワード記憶部１３２に記憶されているキーワードを読み出し認識する（ステップＳ２３０）。制御部１１１は、表示ＣＭ番号記憶部１２０から次に表示する候補のＣＭ番号を読み出し、表示するＣＭ情報のＣＭ番号を選択して認識する。具体的には、制御部１１１は、表示ＣＭ番号記憶部１２０に記憶されているＣＭ番号において、停止となった位置がＣＭ表示順序記憶部１１９に記憶されている停止位置指示に該当するかを検証する。更に制御部１１１は、表示ＣＭ番号記憶部１２０に記憶されているＣＭ番号において、認識したキーワードとＣＭアクセス情報記憶部１１５に記憶されているキーワードが合致するかを検証する。以上の検証結果に応じて、表示するＣＭ情報のＣＭ番号を選択し認識する。
【００５３】
この制御について図９を用いて補足説明する。図９は、表示するＣＭ情報のＣＭ番号を選択する際の例を示している。３００、３０１、３０２、３０３、３０４は特定の番組番号に対応付けられているＣＭ情報であり、それぞれＣＭ番号により管理される。これらのＣＭ番号は表示ＣＭ番号記憶部１２０に記憶されている。それぞれのＣＭ情報は、複数のＣＭ情報により構成される。図９の例ではＣＭ１〜１３を示している。構成要素であるＣＭ情報の個数には限定が無く、種類もＭＰＥＧ−２  ＴＳフォーマットの動画コンテンツであってもＨＴＭＬフォーマットの静止画コンテンツであっても良い。ステップＳ２０４において、ＣＭ表示順序記憶部１１９には表示順序としてＣＭ番号１、２、３、４、５の順序で記憶されており、停止位置指示として、ＣＭ番号１、２は０：００〜０：３０、ＣＭ番号３、４は０：３１〜１：１５、ＣＭ番号５は１：１６〜１：５０の情報が記憶されていると想定する。制御部１１１は、ステップＳ２３０で検出した停止となった位置が０：００〜０：３０であればＣＭ番号１，２を、０：３１〜１：１５であればＣＭ番号３，４を、１：１６〜１：５０であればＣＭ番号５を選択するよう制御する。なお停止位置指示は、番組情報開始時点よりの時間情報として時：分を意味しているが、更に秒も含めても良い。この停止位置指示による分類は、番組提供事業者により指示されることにより、番組情報の内容の推移に応じて、関連するＣＭ情報を選択できるようになる。例えばあるレストランでの食事のシーンが０：２５の位置にあるとする。停止位置指示を０：２５以降にし、シーンで出た料理の作り方に関する情報、レストランに関する情報、料理が提供されるときに使用される食器に関する情報などを含むＣＭ情報を関連付けることにより、それらのＣＭ情報を該当シーンの後に選択できるようになる。また、ステップＳ２０６において、ＣＭアクセス情報もＣＭ番号１〜５に関連付けられて記憶されている。ここでＣＭ番号１、３におけるアクセス情報には、ＣＭ情報を選択する条件となるキーワードとして、Ａのキーワードを示すデータが記憶されていると想定する。制御部１１１は、ステップＳ２３０で認識したキーワードにＡのキーワードと一致するものがあれば、ＣＭ番号１、３を選択するよう制御する。このＣＭアクセス情報内のキーワードによる分類は、番組提供事業者により指示されることにより、ＣＭアクセス情報に応じて、関連するＣＭ情報を選択できるようになる。結果ユーザの嗜好に合わせた選択が可能と成る。以上のように制御部１１１は、停止位置指示およびキーワードを用いた選択結果により最適なＣＭ情報を認識する事ができる。
【００５４】
なお、番組情報を再生して初めて停止した時のように、表示ＣＭ番号記憶部１２０に適切なＣＭ番号が記憶されていない場合は、ＣＭ表示順序記憶部１１９から番組番号を元にＣＭ表示順序を読み出して、最初に表示するＣＭ情報のＣＭ番号を認識して、表示ＣＭ番号記憶部１２０に書き込んでも良い。（ステップＳ２２２）。次に制御部１１１は、認識したＣＭ情報にアクセスする為のＣＭアクセス情報を、ＣＭアクセス情報記憶部１１５からＣＭ番号を元に読み出して認識する（ステップＳ２２３）。制御部１１１は、ＣＭアクセス情報内の有効期限を把握し、有効期限内であれば（ステップＳ２２４）、ＣＭアクセス情報内のリンク先媒体、リンク先ＵＲＩを把握し、内容に応じて通信部１１２または分離部１０２を用いてＣＭ情報にアクセスし取得する。更に制御部１１１は、ＣＭアクセス情報内のフォーマットを把握し、取得したＣＭ情報に対して、デコーダ１０３またはＯＳＤ処理部１０４を用いて適切なデコード処理を行い表示する（ステップＳ２２５）。次に制御部１１１は、ステップＳ２２５で表示した履歴に基づいて、ＣＭ情報表示履歴を更新し履歴記憶部１１４に記憶する（ステップＳ２２６）。更に制御部１１１は、次回の停止に備え、ＣＭ表示順序記憶部１１９から番組番号を元にＣＭ表示順序を読み出して、次に表示する候補となるＣＭ情報を認識して、表示ＣＭ番号記憶部１２０に記憶されている内容を更新する。（ステップＳ２２７）。
【００５５】
なお、図５におけるステップＳ２１６の指示は図６の各ステップにおいて割り込み可能である。
【００５６】
図７は、本発明のテレビジョン受信機３によるＣＭ情報表示履歴を送信する処理を示すフローチャートである。テレビジョン受信機３の制御部１１１は、ＣＭ情報サーバ５から、ＣＭ情報表示履歴の送信を指示されたときに、以下の処理を実行する。
【００５７】
制御部１１１は、ＣＭ情報サーバ５から、ＣＭ情報表示履歴の送信指示のコマンドを通信部１１２から受信した場合、ＣＭ情報表示履歴の送信の指示を認識し（ステップＳ３０１）、履歴記憶部１１４からＣＭ情報表示履歴、送信書式を読み出して（ステップＳ３０２）、送信書式に則った形式でＣＭ情報表示履歴をＣＭ情報サーバ５に送信する（ステップＳ３０３）。
【００５８】
図８は、本発明のテレビジョン受信機３によるＣＭ情報の表示画面の実施例である。図６におけるステップＳ２２５においてこの画面を表示する。ＣＭ情報表示画面２８１は画面一杯に表示される。
【００５９】
ＣＭ情報の表示ウィンドウ２８２は、ＣＭ情報表示画面２８１内に子画面で表示されている。ＣＭ情報の操作パネル２８３には、左からまき戻し、停止、再生、早送りのアイコンが用意されており、ユーザはリモコンを用いてアイコンを選択決定して、ＣＭ情報のまき戻し、停止、再生、早送りの操作ができる。案内表示２８５には、停止中の番組情報を再生再開する方法が表示されており、リモコンの再生ボタンを押下する事で再生可能であることが分かる。
【００６０】
以上のように、本実施の形態の広告受信機及び広告受信システムは、ユーザがコンテンツを視聴終了又は停止する操作を行った後のタイミングでＣＭ情報を取得して表示する。従って、番組情報の視聴後に興味を覚えるような、番組情報の内容に関連する広告を、効果的に提供できる。結果、ユーザがＣＭ情報の表示をスキップさせることにより、ＣＭ情報を知らしめることができないという問題を防ぐ事ができる。
【００６１】
また、ユーザが番組情報を視聴終了または停止する操作を行った後のタイミングでＣＭ情報を表示することにより、ユーザがＣＭ情報を表示終了させる場合を除いて、ＣＭ情報を表示する時間の制限は無くＣＰＵの処理速度にも影響されない。従って、ＣＭ情報を表示終了させるタイミングを、本来広告主がＣＭ情報の表示を終了させたいタイミングと一致させることができる。結果、ＣＭ情報を最後まで表示することができないという問題を解決することができる。
【００６２】
更に番組情報に応じて表示する広告の種類や数を調整することや、複数表示する場合の順序や停止位置を、番組情報の視聴終了または停止する操作を行ったタイミングにも応じて番組提供事業者の指示により調整することもできる。従って、同じコンテンツを視聴中のユーザにも停止する位置に応じて、再生済みのコンテンツに関連する広告を選択して提示することができる。これにより、ユーザが広告の表示をスキップさせることにより、広告を知らしめることができないという問題を防ぐ事ができる。特に、将来に開始される見通しである、蓄積デバイスを用いたサーバ型コンテンツ提供サービスなどのオンデマンドにコンテンツを提供するサービスにおいても、コンテンツの配信と広告の配信を切り離す事を可能とし、その場合であっても、効果的に広告を表示できる広告受信機を実現することが可能になる。
【００６３】
また、コンテンツを提供する事業者は、コンテンツに応じて、広告の提供数、広告の表示順序や停止位置を広告受信機に外部より指示する事が可能である為、コンテンツ提供事業者がテレビジョン放送などを用いて、コンテンツに応じて表示する広告の種類や数や表示順序を調整することができる広告受信システムを実現できるものである。
【産業上の利用可能性】
【００６４】
本発明にかかる広告受信機は、蓄積デバイスを用いたサーバ型コンテンツ提供サービスなどのオンデマンドにコンテンツを提供するサービスにおいても、効果的に広告を表示できる効果を有し、テレビジョン受信機、セットトップボックス、パーソナルコンピュータ、携帯電話機等として有用である。
【図面の簡単な説明】
【００６５】
【図１】本発明の第１の実施例に係るシステムの構成を示す図
【図２】本発明の広告受信機の構成を示すブロック図
【図３】本発明の各記憶部に記憶されるデータの関連付けを示す図
【図４】本発明のＣＭ番号とＣＭアクセス情報との関連付け方法を示すフローチャート
【図５】本発明の広告受信機によるＣＭ情報の表示処理を示すフローチャート
【図６】本発明の広告受信機によるＣＭ情報の表示処理を示すフローチャート
【図７】本発明の広告受信機によるＣＭ情報表示履歴の処理を示すフローチャート
【図８】本発明の広告受信機によるＣＭ情報の表示画面の一例を示す図
【図９】本発明の広告受信機によるＣＭ番号を選択する際の一例を示す図
【符号の説明】
【００６６】
１    番組提供装置
２    放送局装置
３    テレビジョン受信機
４    通信網
５    ＣＭ情報サーバ
６    情報サーバ
１０１    チューナ
１０２    分離部
１０３    デコーダ
１０４    ＯＳＤ処理部
１０５    合成部
１０６    表示部
１１１    制御部
１１２    通信部
１１３    入力部
１１４    履歴記憶部
１１５    ＣＭアクセス情報記憶部
１１６    番組／ＣＭ番号記憶部
１１７    蓄積デバイス
１１８    ＣＭ参照情報書式記憶部
１１９    ＣＭ表示順序記憶部
１２０    表示ＣＭ番号記憶部
１３１    停止位置検出部
１３２    キーワード記憶部
【図１】
2006067280.tif 000003
【図２】
2006067280.tif 000004
【図３】
2006067280.tif 000005
【図４】
2006067280.tif 000006
【図５】
2006067280.tif 000007
【図６】
2006067280.tif 000008
【図７】
2006067280.tif 000009
【図８】
2006067280.tif 000010
【図９】
2006067280.tif 000011